(57)【要約】【課題】本開示は、使用者にとっての体感起動時間を短縮し、使い勝手のいい撮像装置を提供することを目的とする。【解決手段】本開示における撮像装置は、筐体と、被写体像を撮像して画像データを生成する撮像系と、画像データを表示する表示部と、筐体が使用者により保持されたことを検出する検出センサと、撮像系及び検出センサに電力を供給する電源部と、電力供給のオン又はオフを使用者の操作により選択する電源操作部とを備える。電源部は、筐体が使用者により保持されたことを検出センサが検出すると、撮像系に電力を供給する一方、表示部には電力を供給しない仮起動状態となり、電源操作部が使用者にオンされると、表示部に電力を供給する。【選択図】図５
2016063452.tif 000002
【特許請求の範囲】
【請求項１】
筐体と、
被写体像を撮像して画像データを生成する撮像系と、
前記画像データを表示する表示部と、
前記筐体に設けられ、前記筐体が使用者により保持されたことを検出する検出センサと、
前記撮像系及び前記検出センサに電力を供給する電源部と、
電力供給のオン又はオフを使用者の操作により選択する電源操作部と、を備え、
前記電源部は、
前記筐体が使用者により保持されたことを前記検出センサが検出すると、前記撮像系に電力を供給する一方、前記表示部には電力を供給しない仮起動状態となり、
前記電源操作部が使用者にオンされると、前記表示部に電力を供給する、
撮像装置。
【請求項２】
前記電源部は、前記仮起動状態において第１時間の間、前記電源操作部が使用者により操作されないと、前記撮像系への電力供給を停止し、スリープ状態となる、
請求項１に記載の撮像装置。
【請求項３】
前記電源部は、前記第１時間の経過後、更に第２時間が経過した後に、前記筐体が使用者に保持されたことを検知すると、再度前記撮像系に電力を供給して仮起動状態となる、
請求項２に記載の撮像装置。
【請求項４】
前記電源部は、前記筐体が使用者により保持されたことを前記検出センサが検出してから、前記電源操作部が使用者に操作されるまでの間、前記撮像系への電源の供給／非供給を所定の周期で切り替える、
請求項１に記載の撮像装置。
【請求項５】
前記筐体の加速度を検出する加速度センサを更に備え、
前記電源部は、前記検出センサに加え、前記筐体が所定量以上移動したことを前記加速度センサが検出した場合に、仮起動状態となる、
請求項１に記載の撮像装置。
【請求項６】
前記筐体は、交換レンズを着脱可能な撮像装置のカメラボディであり、
前記撮像系は、
前記交換レンズと、
前記交換レンズに結像された被写体像から画像データを生成する撮像素子と、
を含み、
前記カメラボディと前記交換レンズとの間で通信を行う通信部を更に備え、
前記通信部は、
前記仮起動状態において、前記カメラボディと前記交換レンズとの間で、撮影に必要な情報の通信を行う、
請求項１に記載の撮像装置。
【発明の詳細な説明】
【技術分野】
【０００１】
本開示は、使用者にとっての体感起動時間を短縮することが可能な撮像装置に関する。
【背景技術】
【０００２】
特許文献１には、鞄等からカメラを取り出す動作を検出して省電力待機状態から即座に撮影可能状態に移行させることが可能なカメラが開示されている。
【先行技術文献】
【特許文献】
【０００３】
【特許文献１】特開２０１２−２０４８７５号公報
【発明の概要】
【発明が解決しようとする課題】
【０００４】
本開示は、使用者にとっての体感起動時間を短縮し、使い勝手のいい撮像装置を提供することを目的とする。
【課題を解決するための手段】
【０００５】
本開示における撮像装置は、筐体と、被写体像を撮像して画像データを生成する撮像系と、画像データを表示する表示部と、筐体が使用者により保持されたことを検出する検出センサと、撮像系及び検出センサに電力を供給する電源部と、電力供給のオン又はオフを使用者の操作により選択する電源操作部とを備える。電源部は、筐体が使用者により保持されたことを検出センサが検出すると、撮像系に電力を供給する一方、表示部には電力を供給しない仮起動状態となり、電源操作部が使用者にオンされると、表示部に電力を供給する。
【発明の効果】
【０００６】
本開示によれば、使用者にとっての体感起動時間を短縮し、使い勝手の良い撮像装置を提供することができる。
【図面の簡単な説明】
【０００７】
【図１】実施の形態１に係るデジタルカメラの前面斜視図
【図２】実施の形態１に係るデジタルカメラの背面斜視図
【図３】実施の形態１に係るデジタルカメラの電気的構成図
【図４】従来の状態遷移およびフローチャートを示す図
【図５】実施の形態１に係る状態遷移およびフローチャートを示す図
【図６】実施の形態２に係るタイミングチャートおよびフローチャートを示す図
【図７】実施の形態３に係るデジタルカメラの電気的構成図
【図８】実施の形態３に係る状態遷移およびフローチャートを示す図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより特許請求の範囲に記載の主題を限定することは意図されていない。
【００１０】
以下の実施の形態１〜３では、撮像装置としてデジタルカメラを例に挙げて説明する。
【００１１】
〔１．実施の形態１〕
〔１−１．構成〕
以下、図を用いてデジタルカメラ１００の構成を説明する。
【００１２】
〔１−１−１．デジタルカメラ１００の構成〕
図１は、デジタルカメラ１００の前面斜視図である。デジタルカメラ１００は筐体１０１と、前面に光学系１１０を納める鏡筒２００を備える。鏡筒２００は、デジタルカメラ１００に対して着脱可能な交換レンズである。また、デジタルカメラ１００は上面に静止画レリーズ釦２０１などの操作釦を備える。さらに、デジタルカメラ１００はデジタルカメラ１００のグリップ部に感圧式の検出センサ２１０を備える。
【００１３】
図２は、デジタルカメラ１００の背面斜視図である。デジタルカメラ１００は上面に電源スイッチ２０３を備える。また、デジタルカメラ１００は背面に液晶モニタ１２３を備える。また、デジタルカメラ１００は、背面に中央釦２０４及び十字釦２０５などの操作釦を備える。
【００１４】
図３は、デジタルカメラ１００の電気的構成図である。デジタルカメラ１００は、光学系１１０を介して形成された被写体像をＣＭＯＳイメージセンサ１２０で撮像する。
【００１５】
ＣＭＯＳイメージセンサ１２０は、撮像面に結像した被写体像を撮像し、被写体像に基づく画像データを生成する。撮像により生成された画像データは、ＡＦＥ（Ａｎａｌｏｇ  Ｆｒｏｎｔ  Ｅｎｄ）１２１や画像処理部１２２において各種処理が施される。生成された画像データはフラッシュメモリ１４２やメモリカード１４０等の記録媒体（本実施の形態では、代表してメモリカード１４０として説明する）に記録される。メモリカード１４０に記録された画像データは、使用者による操作部１５０の操作を受け付けて液晶モニタ１２３やビューファインダ１０１上に表示される。以下で、図１から図３に示す各構成の詳細を説明する。
【００１６】
鏡筒２００は、レンズ制御部１０５、光学系１１０、レンズ駆動部１１５を備える。レンズ制御部１０５は、デジタルカメラ１００に備えられたコントローラ１３０の指示に基づいて鏡筒２００を制御する。光学系１１０は、少なくとも１枚のレンズから構成される。本実施形態では、光学系１１０として、対物レンズ１１１、ズームレンズ１１２、フォーカスレンズ１１３、絞り１１４を備える。レンズ駆動部１１５は、レンズ制御部１０５の指示に従って、ズームレンズ１１２、フォーカスレンズ１１３、絞り１１４等を駆動する。
【００１７】
コントローラ１３０は、デジタルカメラ１００全体の動作を統括制御する。コントローラ１３０は、ハードワイヤードな電子回路で構成してもよいし、マイクロコンピュータなどで構成してもよい。また、画像処理部１２２などと共に１つの半導体チップで構成してもよい。また、ＲＯＭはコントローラ１３０の内部構成である必要はなく、コントローラ１３０の外部に備わったものでもよい。
【００１８】
バッファメモリ１２４は、画像処理部１２２やコントローラ１３０のワークメモリとして機能する記憶手段である。バッファメモリ１２４はＤＲＡＭ（Ｄｙｎａｍｉｃ  Ｒａｎｄｏｍ  Ａｃｃｅｓｓ  Ｍｅｍｏｒｙ）などで実現できる。また、フラッシュメモリ１４２は、画像データおよびデジタルカメラ１００の設定情報、デジタルカメラ１００のコントローラ１３０が実行するためのプログラム等を記録するための内部メモリとして機能する。
【００１９】
カードスロット１４１は、メモリカード１４０を着脱可能な接続手段である。カードスロット１４１は、メモリカード１４０を電気的及び機械的に接続可能である。また、カードスロット１４１は、メモリカード１４０を制御する機能を備えてもよい。
【００２０】
メモリカード１４０は、内部にフラッシュメモリ等の記録部を備えた外部メモリである。メモリカード１４０は、画像処理部１２２で処理される画像データなどのデータを記録可能である。
【００２１】
操作部１５０は、デジタルカメラ１００の外装に備わっている操作釦や操作ダイヤルの総称であり、使用者による操作を受け付ける。例えば図１や図２に示した静止画レリーズ釦２０１や、電源スイッチ２０３、中央釦２０４、十字釦２０５などがこれにあたる。操作部１５０は使用者による操作を受け付けると、コントローラ１３０に種々の動作指示信号を通知する。
【００２２】
静止画レリーズ釦２０１は、半押し状態と全押し状態の二段階押下式釦である。静止画レリーズ釦２０１が使用者により半押しされると、コントローラ１３０は、ＡＦ（Ａｕｔｏ  Ｆｏｃｕｓ）制御や、ＡＥ（Ａｕｔｏ  Ｅｘｐｏｓｕｒｅ）制御を実行し撮影条件を決定する。続いて、静止画レリーズ釦２０１が、使用者により全押しされると、コントローラ１３０は、撮影処理を行う。コントローラ１３０は、全押しのタイミングに撮像された画像データを静止画としてメモリカード１４０等に記録する。
【００２３】
電源スイッチ２０３は、デジタルカメラ１００を構成する各部への電力供給を使用者が指示するためのスイッチである。電源オフ時に電源スイッチ２０３が使用者によりオン側に操作されると、コントローラ１３０はデジタルカメラ１００を構成する各部に電力を供給し、起動させる。また、電源オン時に電源スイッチ２０３が使用者によりオフ側に操作されると、コントローラ１３０は各部への電力供給を停止する。
【００２４】
中央釦２０４は、押下式釦である。デジタルカメラ１００が撮影モードあるいは再生モードにあるときに、中央釦２０４が使用者により押下されると、コントローラ１３０は液晶モニタ１２３にメニュー画面を表示する。メニュー画面は、撮影／再生のための各種条件を設定するための画面である。メニュー画面で設定された情報は、フラッシュメモリ１４２に記録される。各種条件の設定項目が選択されているときに押下されると、中央釦２０４は決定釦としても機能する。
【００２５】
十字釦２０５は、上下左右方向に設けられた押下式釦である。使用者は、十字釦２０５のいずれかの方向を押下することにより、液晶モニタ１２３に表示される各種条件項目を選択することができる。
【００２６】
検出センサ２１０は、デジタルカメラ１００のグリップ部に搭載した感圧式センサである。検出センサ２１０は、使用者がデジタルカメラ１００のグリップ部を握ったことを検出し、デジタルカメラ１００のコントローラ１３０に対して、電源供給を行う。検出センサ２１０は、ピエゾ素子や静電センサ、ボタン等で実現できる。
【００２７】
バッテリ３００は、デジタルカメラ１００に電源を供給する。バッテリ３００は、デジタルカメラ１００に対して挿抜可能である。コントローラ１３０は、バッテリ３００が挿入されると、各構成要素に対して電源の供給を行う。
【００２８】
〔１−２．動作〕
〔１−２−１．従来のデジタルカメラの起動動作〕
従来のデジタルカメラの起動動作を図４（ａ）、図４（ｂ）を用いて説明する。
【００２９】
図４（ａ）は、従来のデジタルカメラにおける起動時の状態遷移を示した図である。従来のデジタルカメラは、電源起動時の状態として、電源ＯＦＦ状態、スリープ状態、撮影可能状態の３つの状態を持つ。
【００３０】
電源ＯＦＦ状態は、従来のデジタルカメラのバッテリが抜かれ、全ての電気的構成要素に電源供給されていない状態である。スリープ状態は、デジタルカメラにバッテリが挿入され、バッファメモリにのみ電力が供給された状態である。デジタルカメラは、バッテリが挿入されると、フラッシュメモリからコントローラが実行するプログラムをバッファメモリへロードする。そしてデジタルカメラはスリープ状態において、バッファメモリのみに電源供給し、その他の電気的ブロックには電源供給しない。撮影可能状態は、従来のデジタルカメラの撮影に必要な電気的構成要素に電源供給され、デジタルカメラとして撮影可能な状態である。
【００３１】
次に、図４（ｂ）は、従来のデジタルカメラにおける起動時のフローチャートを示した図である。
【００３２】
従来のデジタルカメラは、電源ＯＦＦ状態からバッテリ挿入を検出すると（Ｓ１１）、フラッシュメモリからコントローラが実行するプログラムをバッファメモリへロードしスリープ状態へ遷移する（Ｓ１２）。なお、従来のデジタルカメラは、バッテリ抜きを検出すると（Ｓ１３）、バッテリ挿入待ち状態から再開する（Ｓ１１）。次に、従来のデジタルカメラは、電源スイッチに電源ＯＮを検出すると（Ｓ１４）、従来のデジタルカメラの撮影に必要な電気的構成要素に対して、電源供給を行い撮影可能状態となる（Ｓ１５）。
【００３３】
〔１−２−２．デジタルカメラ１００の起動動作〕
次に、本発明におけるデジタルカメラ１００の起動動作を図５（ａ）、図５（ｂ）を用いて説明する。
【００３４】
図５（ａ）は、実施の形態１に係るデジタルカメラ１００における起動時の状態遷移図を示した図である。実施の形態１におけるデジタルカメラ１００は、電源起動時の状態として、従来の電源ＯＦＦ状態、スリープ状態、撮影可能状態に加え、新たに仮起動状態を有する。
【００３５】
電源ＯＦＦ状態およびスリープ状態は、上述した従来のデジタルカメラと同様である。仮起動状態は、デジタルカメラ１００の液晶モニタ１２３以外の撮影に必要な電気的な構成要素に対して、電源供給を行っている状態である。撮影可能状態は、デジタルカメラ１００の液晶モニタ１２３も含めデジタルカメラ１００の撮影に必要な電気的な構成要素に対して電源供給を行っている状態であり、デジタルカメラ１００として撮影可能な状態にある。
【００３６】
次に、図５（ｂ）は、実施の形態１に係るデジタルカメラ１００における起動時のフローチャートを示した図である。
【００３７】
デジタルカメラ１００においても、バッテリ３００挿抜検出に関しては、従来のデジタルカメラと同様である（Ｓ１１，Ｓ１２）。次に、デジタルカメラ１００は、感圧式の検出センサ２１０によりデジタルカメラ１００の筐体１０１が保持されたことを検出すると、デジタルカメラ１００の液晶モニタ１２３を除いた電気的な構成物に対して電源供給を行う（Ｓ２３）。次に、デジタルカメラ１００は、使用者による電源スイッチ２０３のＯＮを検出すると、液晶モニタ１２３へも電源供給を行い（Ｓ２５）、撮影可能状態へと遷移する。
【００３８】
また、デジタルカメラ１００は、デジタルカメラ１００の液晶モニタ１２３を除いた電気的な構成物に対して電源供給を実施（Ｓ２３）後、所定時間（第１時間）、デジタルカメラ１００の電源スイッチ２０３が使用者によってＯＮされるか否かを検出し続ける（Ｓ２４、Ｓ２６）。さらに、デジタルカメラ１００は、所定時間（第２時間）の間、使用者による電源スイッチ２０３のＯＮを検出しなかった場合（Ｓ２８におけるＹ）、各構成要素に対する電源供給を停止し、筐体保持の検出ステップ（Ｓ２２）へと戻る。
【００３９】
このように、デジタルカメラ１００は、従来のデジタルカメラに比べ仮起動状態を持つことにより、電源スイッチ２０３をＯＮ後、即座に起動したかのようにふるまうことが可能となる。すなわち、デジタルカメラ１００は、使用者にとっての体感起動時間を短縮することができる。
【００４０】
また、デジタルカメラ１００は、仮起動状態から所定時間経過した後にスリープ状態へ遷移し、その後所定時間の間は使用者による筐体保持を検出しても仮起動状態へは遷移しない。このようにすることで、デジタルカメラ１００は、使用者が筐体を保持し続けているものの撮影意図がないような場合に必要以上に仮起動状態を取り続け、消費電力を消費してしまうことを抑制することができる。
【００４１】
以下、仮起動状態についてデジタルカメラ１００の振る舞いを詳細に説明する。
【００４２】
仮起動状態において、液晶モニタ１２３には電源が供給されていない。すなわち、液晶モニタ１２３は画像を表示しないので、使用者にとっては電源がＯＮされていないように見える。
【００４３】
仮起動状態において、デジタルカメラ１００は、ＣＭＯＳイメージセンサ１２０には電源を供給する。これにより、デジタルカメラ１００は仮起動状態において、バックグラウンドでＡＦ，ＡＥ等を行うことができる。その後、使用者がデジタルカメラ１００の電源をＯＮすると、ＡＦ，ＡＥ等の処理の初期化動作等が済んでいるので、より撮影可能状態への遷移時間を短縮可能にする。
【００４４】
仮起動状態において、デジタルカメラ１００は、鏡筒２００の初期化動作を行う。具体的には、仮起動状態において、コントローラ１３０は、レンズ制御部１０５と通信し、レンズ情報の取得や、レンズ位置の初期化などを行う。その後、使用者がデジタルカメラ１００の電源をＯＮすると、鏡筒２００の初期化が済んでいるので、より撮影可能状態への遷移時間を短縮可能にする。
【００４５】
〔１−３．効果等〕
以上説明した実施の形態１に係るデジタルカメラ１００は、デジタルカメラ１００が保持されたことを検出すると、液晶モニタ１２３以外の電気的構成要素に対して電源供給を行う仮起動状態となり、使用者が電源をＯＮすると、液晶モニタ１２３に電源供給を行う。このように構成することで、使用者の体感起動時間が短縮されたデジタルカメラを提供することができる。  また、デジタルカメラ１００は、仮起動状態において撮影準備に必要な各種の処理を実行する。このようにすることで、使用者が電源をＯＮしてから撮影可能状態に遷移するまでの時間をより短縮することが可能となる。
【００４６】
〔２．実施の形態２〕
〔２−１．構成〕
デジタルカメラ１００の構成は、実施の形態１と同様であるとして、詳細な説明を省略する。
【００４７】
〔２−２．動作〕
〔２−２−１．デジタルカメラ１００の起動動作〕
次に、本発明におけるデジタルカメラ１００の起動動作を図６（ａ）、図６（ｂ）を用いて説明する。実施の形態２における、デジタルカメラ１００の起動時の状態遷移は、実施の形態１と同様である。
【００４８】
図６（ａ）は、デジタルカメラ１００の感圧式の検出センサ２１０にて筐体保持を検出し続けているときの、デジタルカメラ１００の時間経過ごとの状態を示したタイミングチャートである。図６（ａ）において、ｔ１はデジタルカメラ１００が仮起動状態となってからの経過時間を示す。図６（ｂ）において、ｔ２はデジタルカメラ１００がスリープ状態となってからの経過時間を示す。また、図６（ａ）において、Ｔａは、デジタルカメラ１００が仮起動状態である時間を示し、Ｔｂはデジタルカメラ１００がスリープ状態である時間を示す。図６（ａ）は、所定時間Ｔａの間、仮起動状態であることを示し、所定時間Ｔｂの間、スリープ状態であることを示している。また、デジタルカメラ１００は、仮起動状態と、スリープ状態を時間Ｔａ，Ｔｂで間欠的に繰り返していることを示している。
【００４９】
図６（ｂ）は、デジタルカメラ１００が図６（ａ）の間欠的動作を繰り返しているときのフローチャートである。デジタルカメラ１００は、感圧式の検出センサ２１０にて使用者が筐体１０１を保持していること検出し続けている間、仮起動状態となり、液晶モニタ１２３以外の電気的な構成物に対して電源供給を行う（Ｓ３１）。その後、デジタルカメラ１００は、所定時間Ｔａの間、デジタルカメラ１００の電源スイッチ２０３がＯＮされるか否かを検出し続ける（Ｓ３２）。
【００５０】
デジタルカメラ１００は、仮起動状態において、使用者が電源スイッチ２０３をＯＮしない間、経過時間ｔ１が所定時間Ｔａ以上となるか否かを監視する（Ｓ３４）。デジタルカメラ１００は、所定時間Ｔａの間に電源スイッチ２０３がＯＮされたことを検出すると（Ｓ３４におけるＮ、Ｓ３２におけるＹ）、デジタルカメラ１００の液晶モニタ１２３へも電源供給を行い（Ｓ３３）、撮影可能状態へと遷移する。
【００５１】
また、デジタルカメラ１００は、所定時間Ｔａの間に、電源スイッチ２０３のＯＮを検出しなかった場合（Ｓ３４におけるＹ）、バッファメモリ１２４およびコントローラ１３０のみに電源供給を行い、その他の電気的ブロックへの電源供給を停止する（Ｓ３５）。
【００５２】
デジタルカメラ１００は、スリープ状態において、経過時間ｔ２が所定時間Ｔｂ以上となるか否かを監視する（Ｓ３６）。デジタルカメラ１００は、スリープ状態において所定時間Ｔｂ経過すると、再度、液晶モニタ１２３以外の全電気的な構成物に対して電源供給を行い（Ｓ３１）、電源スイッチ２０３が使用者にＯＮされるか否かを検出し続ける（Ｓ３２）。
【００５３】
このように、デジタルカメラ１００は、仮起動状態とスリープ状態との遷移を所定の周期で繰り返すことにより、バッテリ３００の消耗を抑えながら、使用者の体感起動時間を短縮することができる。
【００５４】
なお、所定時間Ｔａの方が所定時間Ｔｂより長く設定されることが好ましい。所定時間Ｔａを所定時間Ｔｂより長く設けることで、使用者にとっての体感的な起動時間を短縮することができるためである。
【００５５】
〔実施の形態３〕
〔３−１．構成〕
デジタルカメラ５００の前面図、背面図は、実施の形態１と同様のため説明を省略する。
【００５６】
図７は、デジタルカメラ５００の電気的構成図である。実施の形態２にかかるデジタルカメラ５００は、実施の形態１に対して、第二の検出センサである加速度センサ２１１を備えている。その他の構成要素は、実施の形態１と同様のため説明を省略する。
【００５７】
加速度センサ２１１はデジタルカメラ５００の加速度を検知するために用いられる。この加速度センサ２１１の出力信号（すなわち加速度情報）はコントローラ１３０に送られる。コントローラ１３０は、加速度情報を１回積分あるいは２回積分を行い、速度情報あるいは位置情報に変換する。コントローラ１３０は、加速度センサ２１１から得られた速度情報等に基づいて手振れ補正などの各種制御を行う。
【００５８】
〔３−２．動作〕
〔３−２−１．デジタルカメラ５００の起動動作〕
次に、本発明におけるデジタルカメラ５００の起動動作を図８（ａ）、図８（ｂ）を用いて説明する。
【００５９】
図８（ａ）は、実施の形態３におけるデジタルカメラ５００の起動時の状態遷移図である。デジタルカメラ５００の起動時の状態遷移は、実施の形態１に対して、第一の検出センサ（検出センサ２１０）と第二の検出センサ（加速度センサ２１１）の両方により検出されたときに、仮起動状態へ遷移することを特徴とする。
【００６０】
次に、図８（ｂ）は、実施の形態３におけるデジタルカメラ５００の起動時のフローチャートを示した図である。
【００６１】
バッテリ３００挿抜検出までのフローは、実施の形態１と同様である。  実施の形態３におけるデジタルカメラ５００は、感圧式の検出センサ２１０により筐体１０１が保持されたことを検出する（Ｓ４２）と共に、加速度センサ２１１によりデジタルカメラ５００の移動量を算出する（Ｓ４３）。算出された移動量が所定値以上であれば、デジタルカメラ５００は液晶モニタ１２３を除いた電気的な構成物に対して電源供給を行い仮起動状態となる。
【００６２】
このようにデジタルカメラ５００は、第一の検出センサ（検出センサ２１０）と第二の検出センサ（加速度センサ２１１）を備えることにより、デジタルカメラ５００が誤って仮起動状態へ遷移することを防止する。すなわち、保持センサと加速度センサの二つの検出手段を用いることで、使用者が撮影状態に移ったことの検出をより確実にしつつ、使用者にとっての体感的な起動時間を短縮することができる。
【００６３】
なお、本実施の形態において、加速度センサ２１１で検出される筐体１０１の移動量が所定値以上であれば、デジタルカメラ５００は仮起動状態へ移行するものとしたが、本開示はこれに限定されるものではない。加速度センサ２１１で検出される加速度に基づいて、デジタルカメラ５００の姿勢が通常撮影時の姿勢となったことを検知した際に、デジタルカメラ５００は仮起動状態へ遷移するものとしても構わない。
【００６４】
〔４．他の実施の形態〕
以上のように、本出願において開示する技術の例示として、実施の形態１〜３を説明した。しかしながら、本開示における技術は、これに限定されず、変更、置き換え、付加、省略などを行った実施の形態にも適用できる。また、上記実施の形態１〜３で説明した各構成要素を組み合わせて、新たな実施の形態とすることも可能である。
【００６５】
そこで、以下、他の実施の形態を例示する。
【００６６】
本開示は、上記実施の形態に限定されず、種々の実施の形態が考えられる。以下、本開示の他の実施の形態について記載する。
【００６７】
（１）実施の形態１〜３では、デジタルカメラの第一の検出手段として、感圧式の検出センサを例に説明を行ったが、本開示はこれに限定されるものではない。第１の検出手段として静電式のタッチ検出センサを静止画レリーズ釦に設けるものとして構成しても良いし、デジタルカメラの加速度を検出する検出センサとして構成しても良い。
【００６８】
（２）実施の形態１〜３では、仮起動状態では、デジタルカメラの液晶モニタに対してのみ電源供給を実施しなかったが、本開示はこれに限定されるものではない。デジタルカメラは、仮起動状態において液晶モニタに対して電源供給を実施する一方、液晶モニタへの表示画像の出力をＯＦＦ（表示ミュート）としても良い。
【００６９】
（３）実施の形態１〜３では、デジタルカメラの第二の検出手段として、加速度センサを用いるものとしたが、本開示はこれに限定されるものではない。第二の検出手段は感圧式の検出センサであっても良いし、静止画レリーズ釦に設けられた静電式のタッチ検出センサであっても良い。または、第二の検出手段はデジタルカメラのビューファインダを覗いたことを検出するアイセンサであっても良いし、液晶モニタに設けられた静電式や感圧式などのタッチパネルであっても良い。
【００７０】
（４）実施の形態１〜３では、デジタルカメラのバッテリは、デジタルカメラに対して挿抜可能であることを例に説明を行ったが、本開示はこれに限定されるものではない。デジタルカメラのバッテリが、デジタルカメラに対して挿抜不可能な構成であるとき、デジタルカメラは、図５（ａ）の電源ＯＦＦ状態を持たずＳｌｅｅｐ状態から状態遷移を開始しても良い。
【産業上の利用可能性】
【００７１】
本開示は、デジタルカメラやムービー機器、スマートフォン等の撮像装置に適用可能である。
【符号の説明】
【００７２】
１００、５００  デジタルカメラ
１０５  レンズ制御部
１１１  対物レンズ
１１２  ズームレンズ
１１３  フォーカスレンズ
１１４  絞り
１１５  レンズ駆動部
１２０  ＣＭＯＳイメージセンサ
１２１  ＡＦＥ（Ａｎａｌｏｇ  Ｆｒｏｎｔ  Ｅｎｄ）
１２２  画像処理部
１２３  液晶モニタ
１２４  バッファメモリ
１３０  コントローラ
１４０  メモリカード
１４１  カードスロット
１４２  フラッシュメモリ
１５０  操作部
２００  鏡筒
２０１  静止画レリーズ釦
２０３  電源スイッチ
２０４  中央釦
２０５  十字釦
２１０  検出センサ
２１１  加速度センサ
３００  バッテリ
【図１】
2016063452.tif 000003
【図２】
2016063452.tif 000004
【図３】
2016063452.tif 000005
【図４】
2016063452.tif 000006
【図５】
2016063452.tif 000007
【図６】
2016063452.tif 000008
【図７】
2016063452.tif 000009
【図８】
2016063452.tif 000010